(57)【要約】【課題】被空調空間の一方から他方へ空調空気を供給可能とする際に、音漏れを抑制する。【解決手段】建物１０に設けられた空調設備４４は、廊下１８から取り込まれた空気により生成されて居室１６に供給された空調空気が、リターン部６０Ａを介して廊下１８に供給されると共に、リターン部６０Ｂを介して吹き抜け部２２へ供給されて階下を介して廊下１８に戻される。リターン部６０Ａ、６０Ｂは、天井裏空間に敷設したリターンダクト６４を介することで、居室１６と廊下１８との間の仕切壁３０Ａ、及び居室１６と吹き抜け部２２との間の仕切壁３０Ａ，４０Ｂを迂回して空調空気の流通を可能としている。これにより、空調空気の流通が可能となっている居室１６と廊下１８及び吹き抜け部２２との間で音が漏れるのが抑制されている。【選択図】図２
2017187230.tif 000002
【特許請求の範囲】
【請求項１】
互いの間が仕切壁によって仕切られた第１の被空調空間及び第２の被空調空間を含む建物に設けられた空調設備であって、
前記第１の被空調空間側へ空調空気を供給すると共に、前記第２の被空調空間側から空調空気を回収する空調装置と、
前記仕切壁を迂回して設けられて、一端が前記第１の被空調空間に開口され、他端が前記第２の被空調空間に開口されて前記第１の被空調空間から前記第２の被空調空間へ空調空気を供給可能とするダクトと、
を含む空調設備。
【請求項２】
前記第１の被空調空間に開口された第１のチャンバー及び前記第２の被空調空間に開口された第２のチャンバーを含み、前記ダクトが前記第１のチャンバーと前記第２のチャンバーとを連通する請求項１に記載の空調設備。
【請求項３】
前記第１のチャンバーが前記第１の被空調空間の天井面に開口され、前記第２のチャンバーが前記第２の被空調空間の天井面に開口された請求項２に記載の空調設備。
【請求項４】
前記第２の被空調空間が、前記建物の階上と階下とを連通する吹き抜け空間である請求項１から請求項３の何れか１項に記載の空調設備。
【発明の詳細な説明】
【技術分野】
【０００１】
本発明は、互いの間が間仕切り壁によって仕切られた第１の被空調空間及び第２の被空調空間を含む建物に設けられた空調設備に関する。
【背景技術】
【０００２】
住宅などの建物では、空調設備が設置されるのが一般的となっている。空調設備は、屋外に設置される室外機及び屋内（建物内）に設置される室内機により構成されており、室内機によって生成された空調風（温風又は冷風）が建物内の居住空間に供給されて、居住空間が空調される。
【０００３】
特許文献１には、全館空調システムが設けられた建物が記載されている。特許文献１に記載される建物には、仕切壁によって複数の部屋の各々と廊下とが仕切られていると共に、仕切壁に形成された通気口又は部屋の出入口を開閉するドアに設けられたアンダーカットやガラリが空気流通部として設けられており、空気流通部により各部屋と廊下とが連通されている。
【０００４】
全館空調システムでは、部屋の天井裏空間に室内機が設けられると共に、廊下の天井裏空間にリターンチャンバーが設けられている。室内機には、給気用ダクトが接続されており、この給気用ダクトに設けられた給気グリルが部屋の天井に取付けられている。また、リターンチャンバーは、廊下の天井に取付けられた還気グリルが接続されていると共に、リターンチャンバーは、還気用ダクトを介して室内機に接続されている。
【０００５】
これにより、全館空調システムは、室内機が空調用空気を生成して、生成した空調用空気を給気グリルから部屋へ供給しており、部屋は、給気グリルから供給される空調用空気により空調（暖房又は冷房）される。また、部屋に供給された空調用空気は、空気流通部を通って廊下に供給され、これにより、廊下が空調される。更に、廊下の空気は、リターンチャンバーによって取り込まれて、還気用ダクトを介して室内機へ還気されている。
【０００６】
ところで、部屋と廊下との間の仕切壁に通気口を設けたり、部屋の出入口のドアにアンダーカットやガラリを設けた場合、部屋の音が廊下に漏れたり、廊下の音が部屋にもれてしまう。このような音漏れは、部屋の騒音となってしまう。
【先行技術文献】
【特許文献】
【０００７】
【特許文献１】特許第５２３５０９８号
【発明の概要】
【発明が解決しようとする課題】
【０００８】
本発明は、上記事実に鑑みてなされたものであり、２つの被空調空間の間において音漏れを抑制できる空調設備を提供することを目的とする。
【課題を解決するための手段】
【０００９】
上記目的を達成するために、第１の態様は、互いの間が仕切壁によって仕切られた第１の被空調空間及び第２の被空調空間を含む建物に設けられた空調設備であって、前記第１の被空調空間側へ空調空気を供給すると共に、前記第２の被空調空間側から空調空気を回収する空調装置と、前記仕切壁を迂回して設けられて、一端が前記第１の被空調空間に開口され、他端が前記第２の被空調空間に開口されて前記第１の被空調空間から前記第２の被空調空間へ空調空気を供給可能とするダクトと、を含む。
【００１０】
第１の態様によれば、建物の第１の被空調空間と第２の被空調空間とは仕切壁により仕切られており、空調装置は、第１の被空調空間側に空調空気（暖気又は冷気）を供給すると共に、第２の被空調空間側から空調空気を回収する（取り込む）ことで、空調空気を建物内で循環させて、建物内を空調（暖房又は冷房）する。
【００１１】
ここで、第１の被空調空間と第２の被空調空間とは、仕切壁を迂回して設けられたダクトによって連通されており、第１の被空調空間側に供給された空調空気がダクトを介して第２の被空調空間へ供給される。
【００１２】
これにより、第１の被空調空間と第２の被空調空間との間の仕切壁に空調空気を通過可能とする開口部等を設ける必要が無くなるので、仕切壁に設けた開口部に起因して第１の被空調空間及び第２の被空調空間の一方の音が他方に漏れるのが抑制される。また、第１及び第２の被空調空間において空調空気の通過の経路に起因する騒音が抑えられて、仕切壁の遮音性が維持される。
【００１３】
第２の態様は、第１の態様において、前記第１の被空調空間に開口された第１のチャンバー及び前記第２の被空調空間に開口された第２のチャンバーを含み、前記ダクトが前記第１のチャンバーと前記第２のチャンバーとを連通する。
【００１４】
第２の態様では、第１の被空調空間に第１のチャンバーが開口されていると共に、第２の被空調空間に第２のチャンバーが開口されており、第１のチャンバーと第２のチャンバーとがダクトにより連通されている。
【００１５】
これにより、第１の被空調空間の音は、第１のチャンバーからダクト及び第２のチャンバーを経て第２の被空調空間に伝搬されることになり、第２の被空調空間の音は、第２のチャンバーからダクト及び第１のチャンバーを経て第１の被空調空間に伝搬される。従って、第１の被空調空間及び第２の被空調空間の一方の音が他方に漏れるのが一層抑制される。
【００１６】
第３の態様は、第２の態様において、前記第１のチャンバーが前記第１の被空調空間の天井面に開口され、前記第２のチャンバーが前記第２の被空調空間の天井面に開口されている。
【００１７】
第３の態様では、第１及び第２のチャンバーが天井面に開口されている。これにより、第１及び第２のチャンバーとの間で音の入り方向と音の出る方向とが反対方向となるので、第１の被空調空間及び第２の被空調空間の一方の音が他方に漏れるのがより一層抑制される。
【００１８】
第４の態様は、第１の態様から第３の態様の何れかにおいて、前記第２の被空調空間が、前記建物の階上と階下とを連通する吹き抜け空間である。
【００１９】
第４の態様によれば、建物の階上と階下とが連通されている吹き抜け空間を第２の被空調空間としている。吹き抜け空間においては、空気の滞留が生じ易い。この吹き抜け空間に第１の被空調空間から空調空気が供給されることで、吹き抜け空間内の空気を撹拌できるので、吹き抜け空間における空調効果が高められる。
【００２０】
例えば、建物内を暖房する場合、吹き抜け空間の天井面に近傍に第１の被空調空間から空調空気が供給されるようにすることで、天井面近傍に滞留した暖気を撹拌することができるので、吹き抜け空間における空調効率の向上が図られる。
【発明の効果】
【００２１】
以上説明したように、第１の態様によれば、第１の被空調空間と第２の被空調空間との間で通気を可能しながら音漏れが抑制される、という効果を有する。
【００２２】
第２の態様によれば、第１の被空調空間及び第２の被空調空間の一方の音が他方に漏れるのが一層抑制される、という効果を有する。
【００２３】
第３の態様によれば、第１の被空調空間及び第２の被空調空間の一方の音が他方に漏れるのがより一層抑制される、という効果を有する。
【００２４】
第４の態様によれば、吹き抜け空間における空気の滞留が抑制されて、空調効率の向上が図られる、という効果を有する。
【図面の簡単な説明】
【００２５】
【図１】本実施の形態に係る建物内部の主要部を示す立面図である。
【図２】建物の主要部のレイアウトを示す平面図である。
【図３】居室と廊下との間のリターン部を示す建物内部の立面図である。
【図４】居室と吹き抜け部との間のリターン部を示す建物内部の立面図である。
【図５】（Ａ）はリターン部の他の例を示す建物内部の立面図であり、（Ｂ）はリターン部の他の例を示す天井裏空間の平面図である。
【発明を実施するための形態】
【００２６】
以下、図面を参照して本発明の実施形態について詳細に説明する。
本実施の形態に係る建物１０は、２階建てとされており、鉄骨ユニット工法等の公知の工法が適用されている。本発明に係る空調設備は、建物１０の２階部分に設けられている。図１には、本実施の形態に係る建物１０の内部の主要部が立面図にて示されており、図２には、建物の主要部の間取りが平面図にて示されている。なお、図１及び図２には、建物１０の階上（２階）部分が示されており、図１では、建物１０の階上（２階）部分の内部を示し、建物１０の階下（１階）部分は、主要部（下記階段室２０の一部及び玄関ホール３８）を除いて内部の図示を省略している。
【００２７】
図１に示されるように、建物１０は、周囲の外壁部１２及び上部の屋根１４により屋内外が区画されており、建物１０内には、居住者の居住空間及び非居住空間が設けられている。図２に示されるように、建物１０の居住空間には、居室１６、廊下１８、階段室２０及び吹き抜け部２２等がある。また、図１に示されるように、建物１０の非居住空間には、図示しない床下空間及び天井裏空間２４がある。
【００２８】
建物１０内の各居住空間は、床材（床２６）と天井材（天井２８）とにより非居住空間と区画されている。また、天井裏空間２４は、屋根１４及び屋内の天井２８により屋外及び居住空間と区画されている。
【００２９】
図２に示されるように、居室１６と廊下１８との間には、仕切壁３０Ａ、３０Ｂが設けられており、仕切壁３０Ａ、３０Ｂにより居室１６と廊下１８とが区画されている。仕切壁３０Ａには、出入口３２Ａ、３２Ｂにドア３４Ａ、３４Ｂが設けられており、仕切壁３０Ｂには、出入口３２Ｃにドア３４Ｃが設けられている。出入口３２Ａ、３２Ｂ、３２Ｃは、ドア３４Ａ、３４Ｂ、ドア３４Ｃにより閉鎖可能とされており、ドア３４Ａ、３４Ｂ、３４Ｃが閉鎖されて出入口３２Ａ〜３２Ｃが閉じられることで、居室１６と廊下１８とは、空気の流通が抑制される。
【００３０】
なお、居室１６は、簡易仕切壁３６により出入口３２Ａ、３２Ｂ側の居室１６Ａと出入口３２Ｂよりも出入口３２Ｃ側の居室１６Ｂとに区画可能とされており、簡易仕切壁３６により区画されることで、居室１６Ａ、１６Ｂとの間における空気の流通が抑制される。
【００３１】
階段室２０は、廊下１８に連通されている。また、図１に示されるように、吹き抜け部２２は、下方（階下）側が玄関ホール３８とされており、外壁部１２により屋外と区画されている。また、図２に示されるように、吹き抜け部２２は、仕切壁４０Ａ、４０Ｂにより廊下１８側と区画されており、仕切壁４０Ｃにより階段室２０と区画されている。これにより、吹き抜け部２２は、階上部分において周囲と区画されている。また、吹き抜け部２２は、階下側において玄関ホール３８及び図示しない廊下を介して階段室２０と連通されている。なお、吹き抜け部２２の周囲の仕切壁４０Ａ、４０Ｂ、４０Ｃには、屋内窓４２が設けられており、屋内窓４２を開くことで廊下１８及び階段室２０に向けて開放される。
【００３２】
一方、図１に示されるように、建物１０には、全館空調設備を構成する空調設備４４が設けられており、空調設備４４は、室内装置としての室内機４６及び建物１０の外部（屋外）に設置された室外装置としての図示しない室外機を備えている。本実施の形態において、室内機４６は、主に建物１０の階上の空調を担っており、空調設備４４は、階下（１階）の空調空間の空調を担う室内機が別に設けられていても良く、また、建物１０は、空調設備４４とは別に階下の空調空間の空調を担う空調設備が設けられていても良い。
【００３３】
室内機４６は、非居住空間である天井裏空間２４に配置されており、図示しない大梁等の梁に支持されている。室内機４６は、図示しない冷媒配管等を介して室外機に接続されており、室内機４６と室外機との間は、冷媒配管を介して冷媒が循環される。
【００３４】
建物１０の廊下１８には、天井２８に取込部４８が設けられている。取込部４８は、矩形箱体形状で一方の面が開口された取込チャンバー５０を備えており、取込チャンバー５０が天井２８に取付けられて廊下１８内に開放されている。取込チャンバー５０には、天井裏空間２４において取込ダクト５２の一端が接続されており、取込ダクト５２は、他端が室内機４６に接続されている。これにより、室内機４６は、取込チャンバー５０及び取込ダクト５２を介して廊下１８内の空気の取り込みが可能となっており、室内機４６は、取り込んだ空気と冷媒との間で熱交換を行うことで空調空気（暖気又は冷気）を生成する。
【００３５】
室内機４６には、図示しない送風ファンが設けられており、送風ファンの作動により取込チャンバー５０及び取込ダクト５２を介して廊下１８内の空気を取り込むと共に、取り込んだ空気により生成された空調空気を居住空間へ供給する。なお、室内機４６は、取込チャンバー５０及び取込ダクト５２を介して廊下１８の空気を取り込むが、空気の取り込みの構成は、これに限るものではない。室内機４６には、廊下１８へ向けた開口部が形成されて、当該開口部から取込チャンバー５０と別に又は取込チャンバー５０と共に廊下１８の空気を取り込む構成としても良い。また、取込チャンバー５０は、廊下１８に複数設けられていても良く、また、廊下１８とは別に階段室２０の天井２８あるいは吹き抜け部２２の天井２８に設けられていても良い。
【００３６】
居室１６には、天井２８に給気部５４が設けられている。給気部５４には、矩形箱体形状で一方の面が開口された給気チャンバー５６及び給気ダクト５８が設けられており、給気チャンバー５６は、天井裏空間２４内に配置されて天井２８に取付けられている。これにより、給気チャンバー５６は、居室１６内に向けて開口されている。給気チャンバー５６には、天井裏空間２４において給気ダクト５８の一端が接続されており、給気ダクト５８は、他端が室内機４６に接続されている。室内機４６は、送風ファンが作動することにより、空調空気を給気ダクト５８へ送り出す。これにより、居室１６には、給気チャンバー５６から空調空気が供給されて、空調空気が居室１６内に循環（対流）されることで、居室１６内の略全域が空調される。
【００３７】
一方、図２に示されるように、建物１０には、居室１６と廊下１８との間、及び居室１６と吹き抜け部２２との間にリターン部６０が設けられている。図３には、居室１６（１６Ｂ）と廊下１８との間に設けられたリターン部６０（以下、区別する場合、リターン部６０Ａという）が示されており、図４には、居室１６（１６Ａ）と吹き抜け部２２との間に設けられたリターン部６０（以下、区別する場合、リターン部６０Ｂという）が示されている。なお、図２では、室内機４６及び給気部５４の図示を省略している。
【００３８】
図３及び図４に示されるように、リターン部６０（６０Ａ、６０Ｂ）には、一対のリターンチャンバー６２及び一対のリターンチャンバー６２の間を接続するリターンダクト６４が設けられている。リターンチャンバー６２は、長尺矩形箱体状とされて、一方の面が開口されている。また、リターンチャンバー６２には、開口面と隣接する一面に接続部６６が突出されており、接続部６６は、円筒状とされて開口されている。
【００３９】
図３に示されるように、居室１６と廊下１８との間に設けられたリターン部６０Ａは、一対のリターンチャンバー６２の一方（以下、区別する場合、リターンチャンバー６２Ａという）が居室１６に対応する天井裏空間２４に配置されて居室１６の天井２８に取付けられており、リターンチャンバー６２Ａは、居室１６内に開口されている。また、リターン部６０Ａの一対のリターンチャンバー６２の他方（以下、区別する場合、リターンチャンバー６２Ｂという）は、廊下１８に対応する天井裏空間２４に配置されて廊下１８の天井２８に取付けられており、リターンチャンバー６２Ｂは、廊下１８内に開口されている。なお、リターン部６０Ａは、居室１６のドア３４Ｂ側に設けられており、リターンチャンバー６２Ｂと取込チャンバー５０とは、廊下１８において互いに離れた位置に取付けられている（図２参照）。
【００４０】
リターンチャンバー６２Ａ、６２Ｂは、接続部６６が互いに対向する向きとされている。リターンチャンバー６２Ａの接続部６６には、天井裏空間２４に敷設されたリターンダクト６４の一端が接続されており、リターンダクト６４の他端は、リターンチャンバー６２Ｂの接続部６６に接続されている。これにより、リターン部６０Ａは、天井裏空間２４に敷設されたリターンダクト６４により仕切壁３０Ａを迂回して居室１６と廊下１８と連通して、居室１６と廊下１８との間で空気の流通を可能としている。
【００４１】
図２に示されるように、リターン部６０Ｂは、居室１６のドア３４Ａ側に設けられている。図４に示されるように、居室１６と吹き抜け部２２との間に設けられたリターン部６０Ｂは、一対のリターンチャンバー６２の一方（以下、区別する場合、リターンチャンバー６２Ｃという）が居室１６に対応する天井裏空間２４に配置されて居室１６の天井２８に取付けられており、リターンチャンバー６２Ｃは、居室１６内に開口されている。また、リターン部６０Ｂの一対のリターンチャンバー６２の他方（以下、区別する場合、リターンチャンバー６２Ｄという）は、吹き抜け部２２に対応する天井裏空間２４に配置されて吹き抜け部２２の天井２８に取付けられており、リターンチャンバー６２Ｄは、吹き抜け部２２に開口されている。
【００４２】
リターンチャンバー６２Ｃ、６２Ｄは、接続部６６が互いに対向する向きとされている。リターンチャンバー６２Ｃの接続部６６には、リターンダクト６４の一端が接続されており、リターンダクト６４の他端は、リターンチャンバー６２Ｄの接続部６６に接続されている。これにより、リターン部６０Ｂは、仕切壁３０Ａ、４０Ｂを迂回して居室１６と吹き抜け部２２と連通して、居室１６と吹き抜け部２２との間で空気の流通を可能としている。
【００４３】
リターンダクト６４としては、断熱性を有するフレキシブルダクトが用いられている。フレキシブルダクトは、金属又は樹脂によりスパイラル状に形成された芯線により骨格が形成されており、グラスウール等の断熱材料が用いられて形成された外周部材が骨格により略円筒状に保持されている。また、フレキシブルダクトは、外周部材の内周面（フレキシブルダクトの内周面）及び外周面にアルミニウム箔などの金属箔等が用いられたシートにより被覆されている。これにより、フレキシブルダクトは、可撓性及び断熱性を有するともに、僅かな収縮性を有している。フレキシブルダクトは、断熱性を有するのみで無く、保温性、吸音性或いは防湿性を有するものであっても良い。また、フレキシブルダクトは、取込ダクト５２及び給気ダクト５８に適用されている。
【００４４】
なお、空調設備４４は、居室１６が簡易仕切壁３６により居室１６Ａと居室１６Ｂとに仕切られる場合、居室１６Ａ、１６Ｂの各々に給気部５４を設けて、室内機４６から空調空気が供給可能となるようにされていても良い。また、空調設備４４は、居室１６が簡易仕切壁３６により居室１６Ａと居室１６Ｂとに仕切られる場合、居室１６Ｂに給気部５４が設けられると共に、居室１６Ａと居室１６Ｂとの間にリターン部６０が設けられていても良い。
【００４５】
次に、本実施の形態の作用を説明する。
建物１０に設けられた空調設備４４では、天井裏空間２４に室内機４６が設けられており、室内機４６には、廊下１８の天井２８に設けた取込部４８の取込チャンバー５０、及び居室１６に設けた給気部５４の給気チャンバー５６が接続されている。また、空調設備４４では、居室１６と廊下１８とを通気可能に連通するリターン部６０Ａ、及び居室１６と吹き抜け部２２とを通気可能に連通するリターン部６０Ｂが設けられている。
【００４６】
空調設備４４の室内機４６は、取込部４８により廊下１８から取り込んだ空気から空調空気を生成して、給気部５４から居室１６内へ供給する。これにより、居室１６内では、給気部５４から供給される空調空気が循環されて空調される。また、居室１６に供給された空調空気は、リターン部６０Ａを介して廊下１８に戻されることで、廊下１８内を空調して、取込部４８から新たな空調空気を生成するための空気として室内機４６に取り込まれる。また、居室１６に供給された空調空気の一部は、リターン部６０Ｂを介して吹き抜け部２２に供給され、吹き抜け部２２から階下の廊下及び階段室２０を経て廊下１８に戻されることで、階段室２０及び吹き抜け部２２が空調される。
【００４７】
ここで、居室１６と廊下１８とを連通する方法としては、居室１６と廊下１８との間の仕切壁３０Ａ、３０Ｂに通気口を設ける方法、ドア３４Ａ、３４Ｂ、３４Ｃにガラリ又はアンダーカットを設ける方法がある。これらの場合、仕切壁３０Ａ、３０Ｂの遮音性が低下してしまい、居室１６内の音が廊下１８に漏れてしまうと共に、廊下１８の音が騒音となって通気口から居室１６内に入り込んでしまう。また、仕切壁３０Ａ及び仕切壁４０Ｂに通気口を設けることで、居室１６内の空気を吹き抜け部２２に供給可能となる。この場合、仕切壁３０Ａ、４０Ｂの遮音性が低下してしまい、居室１６内の音が吹き抜け部２２の下部の玄関ホール３８に漏れてしまうと共に、玄関ホール３８の音が騒音となって居室１６内に入り込んでしまう。
【００４８】
これに対して、空調設備４４では、仕切壁３０Ａ又は仕切壁３０Ａと仕切壁４０Ｂとを迂回するリターン部６０を設けて、居室１６と廊下１８及び居室１６と吹き抜け部２２とを連通している。
【００４９】
これにより、仕切壁３０Ａ、４０Ｂ等の遮音性が維持され、居室１６と廊下１８との間及び居室１６と吹き抜け部２２との間では、仕切壁３０Ａ又は仕切壁３０、４０Ｂを音が通過するのではなく、仕切壁３０Ａ又は仕切壁３０、４０Ｂを音が迂回するように伝わる。従って、居室１６内の音が廊下１８又は吹き抜け部２２（玄関ホール３８）に漏れるのが抑制されると共に、廊下１８又は吹き抜け部２２の音が居室１６に漏れて、居室１６において騒音を生じさせるのが抑制される。
【００５０】
また、リターン部６０は、居室１６と廊下１８及び居室１６と吹き抜け部２２との各々の天井２８にリターンチャンバー６２を設けると共に、リターンチャンバー６２の間を、天井裏空間２４に敷設したリターンダクト６４によって連通している。
【００５１】
これにより、音が居室１６からリターンチャンバー６２に入る方向とリターンチャンバー６２から廊下１８又は吹き抜け部２２へ出る方向とが反対方向となる。従って、居室１６と廊下１８及び吹き抜け部２２との間では、居室１６内の音が廊下１８又は吹き抜け部２２（玄関ホール３８）に漏れるのが一層抑制されると共に、廊下１８又は吹き抜け部２２の音が居室１６に漏れて、居室１６において騒音を生じさせるのが一層抑制される。
【００５２】
しかも、リターンダクト６４には、フレキシブルダクトが用いられているので、リターンダクト６４内で音の伝搬が抑制されるので、居室１６内からの音漏れ、及び居室１６内に騒音が入り込むのをより一層抑制される。即ち、フレキシブルダクト内で断熱部材が音を吸収するため、フレキシブルダクト内を伝搬する音が抑制される。リターンダクト６４としてフレキシブルダクトが用いられることで、リターン部６０における音漏れがより一層抑制される。
【００５３】
一方、吹き抜け部２２では、上部に空気が滞留し易い。特に、周囲が仕切壁４０Ａ〜４０Ｃにより囲われていることで空気が滞留してしまう。ここで、空調設備４４では、リターン部６０Ｂのリターンチャンバー６２Ｄが吹き抜け部２２の天井２８に開口されており、建物１０内で空調空気が循環される際、居室１６の空気がリターンチャンバー６２Ｄから吹き抜け部２２内に吹き出される。また、吹き抜け部２２内の空気は、階下（玄関ホール３８及び階下の廊下）を経て階段室２０から廊下１８に流れる。
【００５４】
これにより、吹き抜け部２２内では、滞留しやすい上部の空気がリターンチャンバー６２Ｄから吹き出される空調空気により撹拌されると共に、空気の対流が生じる。従って、空調設備４４は、吹き抜け部２２に空気の滞留が生じるのを抑制でき、しかも、吹き抜け部２２の下部の玄関ホール３８を空調することができる。
【００５５】
なお、以上説明した本実施の形態では、リターン部６０において、一対のリターンチャンバー６２をリターンダクト６４により直線的に接続したが、これに限るものではない。図５（Ａ）及び図５（Ｂ）には、居室１６と廊下１８との間を例に、天井裏空間２４内におけるリターンダクト６４の敷設の他の例を示している。
【００５６】
図５（Ａ）に示されるリターン部６０Ｃでは、居室１６に設けられたリターンチャンバー６２Ａの接続部６６が廊下１８とは反対側に向けられており、廊下１８に設けられたリターンチャンバー６２Ｂの接続部６６が居室１６とは反対側に向けられている。リターンダクト６４は、一端がリターンチャンバー６２Ａの接続部６６に接続され、他端がリターンチャンバー６２Ｂの接続部６６に接続される。これにより、リターン部６０Ｃでは、リターンチャンバー６２Ａ側及びリターンチャンバー６２Ｂ側の各々においてリターンダクト６４が湾曲される。
【００５７】
また、図５（Ｂ）に示されるリターン部６０Ｄでは、居室１６の天井２８に設けられたリターンチャンバー６２Ａの接続部６６及び廊下１８の天井２８に設けられたリターンチャンバー６２Ｂの接続部６６が同一方向へ略平行となるように向けられている。天井裏空間２４に敷設されるリターンダクト６４は、一端がリターンチャンバー６２Ａの接続部６６に接続され、他端がリターンチャンバー６２Ｂの接続部６６に接続される。これにより、リターン部６０Ｃでは、リターンチャンバー６２Ａとリターンチャンバー６２Ｂとの間においてリターンダクト６４が湾曲される。
【００５８】
このように内部を空調空気と共に音が通過するリターンダクト６４を湾曲させることで、リターンダクト６４を直線的に配置した場合に比べ、一方のリターンチャンバー６２と他方のリターンチャンバー６２との間で音が伝搬するのを抑制することができる、しかも、リターンダクト６４としてフレキシブルダクトを用いることで、リターンダクト６４内で反射する際に音が減衰されるので、リターンダクト６４を介した音の伝搬をより一層抑制できる。
【００５９】
なお、以上説明した本実施の形態では、吹き抜け部２２と廊下１８とを階下及び階段室２０を介して連通するようにしたが、これに限らず、吹き抜け部２２の天井２８と廊下１８の天井との間にリターン部６０を設けて、リターン部６０を介して連通するようにしても良い。
【００６０】
また、本実施の形態では、吹き抜け部２２の階上側を仕切壁４０Ａ〜４０Ｃにより廊下１８と区画するようにしたが、これに限らず、仕切壁４０Ａ〜４０Ｃの少なくとも一つを設けずに廊下１８と吹き抜け部２２とが連通されていても良い。
【００６１】
さらに、本実施の形態では、ダクトとして断面開口が円状のリターンダクト６４を例に説明したが、ダクトの断面開口は円状に限らず矩形状であっても良い。また、ダクトとしては、断熱部材などの弾性変形可能な部材が用いられて、内周面に弾性部材を被覆するシート材等が設けられていることが好ましく、これにより、ダクトの内部を伝搬する音を減衰させることでできる。
【００６２】
さらに、本実施の形態では、空調設備４４を建物１０の階上側に設けたが、空調設備４４は、建物１０の階下（１階）の空調を行う構成であっても良い。また、本実施の形態では、天井裏空間２４を介して仕切壁を迂回するリターン部６０を例に説明したが、これに限らず、床下空間及び階間を介して仕切壁を迂回する構成であっても良い。
【符号の説明】
【００６３】
１０    建物
１６    居室（第１の被空調空間）
１８    廊下（第２の被空調空間）
２２    吹き抜け部（第２の被空調空間、吹き抜け空間）
２４    天井裏空間
３０Ａ、３０Ｂ、４０Ａ〜４０Ｃ    仕切壁
４４    空調設備
４６    室内機（空調装置）
４８    取込部
５４    供給部
６０Ａ〜６０Ｄ    リターン部
６２（６２Ａ、６２Ｃ）    リターンチャンバー（第１のチャンバー）
６２（６２Ｂ、６２Ｄ）    リターンチャンバー（第２のチャンバー）
６４    リターンダクト（ダクト）
【図１】
2017187230.tif 000003
【図２】
2017187230.tif 000004
【図３】
2017187230.tif 000005
【図４】
2017187230.tif 000006
【図５】
2017187230.tif 000007